(57)【特許請求の範囲】
【請求項１】
移動通信システムにおける移動局と無線通信を行うスモールセル基地局に設けられる基地局装置であって、
自局で使用する周波数帯域幅として、自局の周辺に設置されているマクロセル基地局とは異なる周波数帯域幅を選択する周波数帯域幅選択手段を備え、
前記マクロセル基地局とは異なる周波数帯域幅において割り当て可能な物理セル識別子の範囲から、前記マクロセル基地局が利用している物理セル識別子に依らず自局の物理セル識別子が割り当てられることを特徴とする基地局装置。
【発明の詳細な説明】
【技術分野】
【０００１】
本発明は、移動通信の基地局装置に関するものである。
【背景技術】
【０００２】
従来、移動通信において自セルに在圏する移動局（以下、適宜「ユーザ装置」（ＵＥ：User Equipment）ともいう。）がデータ通信等を継続した状態で隣接する基地局のセルに移動するときにハンドオーバー（ＨＯ）処理を行う基地局装置が知られている。このＨＯ処理を行うときに自局（自セル）と隣接する基地局（セル）とを互いに識別するための識別情報が各基地局に割り当てられる。例えばＬＴＥ（Long Term Evolution）方式の移動通信システムでは、各基地局に０〜５０３の範囲で互いに重複しないように物理セル識別子（ＰＣＩ：Physical Cell Identifier）が割り当てられる（例えば、非特許文献１参照）。
【０００３】
また、マクロセルよりもサイズが小さいスモールセルの基地局（以下、適宜「スモールセル基地局」という。）が知られている。マクロセルの基地局（以下、適宜「マクロセル基地局」という。）は計画的に設置される。一方、スモールセル基地局は計画的な設置が行われず、例えば電波が弱い所に設置される。
【発明の概要】
【発明が解決しようとする課題】
【０００４】
上記ＰＣＩの割り当て可能な非常に小さい範囲０〜５０３のなかでマクロセル基地局とスモールセル基地局でＰＣＩを分け合うために、マクロセル基地局及びスモールセル基地局では、隣接する基地局（セル）と重複しないＰＣＩを割り当てることができず、ハンドオーバー（ＨＯ）処理に失敗するおそれがある。特に、上記マクロセル内に複数のスモールセル基地局が設置される場合は、各スモールセル基地局にはマクロセル基地局のＰＣＩと異なるとともに当該複数のスモールセル基地局間で互いに重複しないＰＣＩを割り当てねばならないため、スモールセル基地局を設置することが難しい。また、スモールセル基地局は無線通信可能距離が狭く、スモールセル基地局に非常に近い移動局しか在圏することができない。
【課題を解決するための手段】
【０００５】
上記課題を解決するため、本発明の一態様に係る基地局装置は、移動通信システムにおける移動局と無線通信を行うスモールセル基地局に設けられる基地局装置であって、自局で使用する周波数帯域幅として、自局の周辺に設置されているマクロセル基地局とは異なる周波数帯域幅を選択する周波数帯域幅選択手段を備え、前記マクロセル基地局とは異なる周波数帯域幅において割り当て可能な物理セル識別子の範囲から、前記マクロセル基地局が利用している物理セル識別子に依らず自局の物理セル識別子が割り当てられる。
また、前記基地局装置において、自局のスモールセルに移動局を優先的に在圏させるように、移動局で使用可能な周波数帯域幅ごとに優先度の情報を設定してもよい。例えば、前記マクロセル基地局で使用される周波数帯域幅よりも前記自局で使用される周波数帯域幅が移動局で優先的に使用されるように、周波数帯域幅ごとに優先度を設定してもよい。この優先度の情報は、前記スモールセル基地局から移動局に報知され、移動局が基地局に接続する接続処理時における周波数帯域幅の選択の際に使用されるようにしてもよい。また、前記周波数帯域幅ごとの優先度は、前記マクロセル基地局にも設定し、前記マクロセル基地局から移動局に報知され、移動局が基地局に接続する接続処理時における周波数帯域幅の選択の際に使用されるようにしてもよい。
前記基地局装置において、前記物理セル識別子の割り当ては、当該基地局装置が自律的に行ってもよいし、移動通信網側に設けられたサーバから受信した制御コマンドに基づいて行ってもよい。
また、前記基地局装置において、マクロセル基地局で使用される周波数帯域幅は１５ＭＨｚ又は２０ＭＨｚであり、自局で使用される周波数帯域幅は１０ＭＨｚであってもよい。周波数帯域幅は一例を示すものであり、これらに限定されない。
【発明の効果】
【０００６】
本発明によれば、周辺の他の基地局と互いに重複しない物理セル識別子をスモールセル基地局に確実に割り当てることができるという効果を奏する。
【図面の簡単な説明】
【０００７】
【図１】本発明の一実施形態に係る基地局装置を有する基地局が配置された移動通信システムの概略構成を示す説明図。
【図２】（ａ）は本実施形態の移動通信システムで通信可能なユーザ装置の要部の概略構成の一例を示す機能ブロック図。（ｂ）は本実施形態のスモールセル基地局を構成する基地局装置の要部の概略構成の一例を示す機能ブロック図。
【図３】本実施形態に係るスモールセル基地局をマクロセル内に追加設置する場合におけるＰＣＩ割り当ての一例を示す説明図。
【図４】本実施形態に係るスモールセル基地局をマクロセル内に新規設置する場合におけるＰＣＩ割り当ての一例を示す説明図。
【発明を実施するための形態】
【０００８】
以下、図面を参照して本発明の実施形態について説明する。
図１は、本発明の一実施形態に係る基地局装置を有する基地局が配置された移動通信システムの概略構成を示す説明図である。図１において、本実施形態の移動通信システムは、ＬＴＥの仕様に準拠した通信システムであり、マクロセル基地局１０，１１，１２と、その一つのマクロセル基地局１０の無線通信エリアであるマクロセル１０Ａ内に位置するスモールセル基地局２０とを備える。スモールセル基地局２０の無線通信エリアであるスモールセル２０Ａは、マクロセル１０Ａの内側に含まれている。図示の例では、移動局であるユーザ装置（ＵＥ）３０はスモールセル２０Ａに在圏しており、スモールセル基地局２０と間で電話やデータ通信などのための無線通信が可能な状態にある。また、ユーザ装置３０は、マクロセル１０Ａの内部であってスモールセル２０Ａの外縁部（マクロセル１０Ａとの境界部）に位置しているため、ユーザ装置３０から発した無線信号がマクロセル基地局１０に到達したりマクロセル基地局１０から発した無線信号がユーザ装置３０に到達したりする状況にある。また、スモールセル基地局２０の周辺に位置する基地局としては、マクロセル基地局１０のほかマクロセル基地局１１，１２がある。
【０００９】
なお、図１では、３つのマクロセル基地局１０，１１，１２と１つのスモールセル基地局２０と１つのユーザ装置３０とを図示しているが、マクロセル基地局は２以下又は４以上であってもよく、スモールセル基地局及びユーザ装置はそれぞれ複数であってもよい。また、以下の実施形態では、後述の処理や制御をスモールセル基地局２０が行う場合について説明するが、同様な処理や制御はマクロセル基地局１０などの他の基地局が行ってもよい。また、３つのマクロセル基地局１０，１１，１２に共通する部分については、マクロセル基地局１０として説明する。
【００１０】
マクロセル基地局１０は、移動体通信網において屋外に設置されている通常の半径数百ｍ乃至数ｋｍ程度の広域エリアであるマクロセルをカバーする広域の基地局であり、「マクロセル基地局」、「Ｍａｃｒｏ  ｅ−Ｎｏｄｅ  Ｂ」、「ＭｅＮＢ」等と呼ばれる場合もある。マクロセル基地局１０は、他の基地局と例えば有線の通信回線で接続され、所定の通信インターフェースで通信可能になっている。また、マクロセル基地局１０は、回線終端装置及び専用回線を介して移動体通信網のコアネットワークに接続され、移動体通信網内の各種ノードとの間で所定の通信インターフェースにより通信可能になっている。
【００１１】
スモールセル基地局２０は、広域のマクロセル基地局とは異なり、無線通信可能距離が数ｍ乃至数百ｍ程度であり、一般家庭、店舗、オフィス等の屋内にも設置することができる移動設置可能な基地局である。スモールセル基地局２０は、移動体通信網における広域のマクロセル基地局がカバーするエリアよりも小さなエリアをカバーするように設けられるため「フェムト基地局」と呼ばれたり、「Ｈｏｍｅ  ｅ−Ｎｏｄｅ  Ｂ」や「Ｈｏｍｅ  ｅＮＢ」と呼ばれたりする場合もある。スモールセル基地局２０についても、回線終端装置及びＡＤＳＬ（Asymmetric Digital Subscriber Line）回線や光回線等のブロードバンド公衆通信回線を介して移動体通信網のコアネットワークに接続され、コアネットワーク上の各種ノードとの間で所定の通信インターフェースにより通信可能になっている。
【００１２】
マクロセル基地局１０及びスモールセル基地局２０それぞれには、ユーザ装置３０のハンドオーバー処理等において各基地局を互いに識別するための物理セル識別子（ＰＣＩ）が割り当てられる。このＰＣＩは、ユーザ装置３０との無線通信で使用される周波数帯域幅（例えば、２０ＭＨｚ、１５ＭＨｚ、１０ＭＨｚ）ごとに独立に設定された所定の割り当て可能な範囲（例えば、０〜５０３）から選択されて割り当てられる。そのため、例えば、周波数帯域幅として２０ＭＨｚを使用する基地局と、周波数帯域幅として１５ＭＨｚを使用する基地局と、周波数帯域幅として１０ＭＨｚを使用する基地局とに対しては、互いの重複したＰＣＩを割り当てることができる。また、ＰＣＩの割り当ては、マクロセル基地局１０及びスモールセル基地局２０それぞれが自律的に行ってもよいし、マクロセル基地局１０及びスモールセル基地局２０それぞれが移動通信網側に設けられたサーバから受信した制御コマンドに基づいて行ってもよい。基地局１０，２０それぞれに割り当てられたＰＣＩの情報は、自局の基地局装置内にも保存され、ユーザ装置３０のハンドオーバー処理等に用いることができる。
【００１３】
また、各周波数帯域幅にはそれぞれに在圏しやすくする、優先度という指標が存在する。この優先度は周波数帯域幅ごとにも独立に設定できる。そのため、周波数帯域幅として１５ＭＨｚ又は２０ＭＨｚを使用するマクロセル基地局１０と周波数帯域幅として１０ＭＨｚを使用するスモールセル基地局２０とに対しては、それぞれに優先度を設定することができる。本実施形態では、優先度を、例えば、１０ＭＨｚの周波数帯域幅に対して「高」に設定し、１５ＭＨｚ又は２０ＭＨｚの周波数帯域幅に対して「低」に設定する。このように設定した優先度の情報は、移動局に報知され、ユーザ装置３０が基地局に接続する接続処理時における周波数帯域幅の選択の際に使用される。これにより、ユーザ装置３０を、１０ＭＨｚの周波数帯域幅を使用するスモールセル２０Ａに在圏させやすくすることができる。
【００１４】
ユーザが使用する移動局としてのユーザ装置（ＵＥ）３０は、マクロセル１０Ａやスモールセル２０Ａに在圏するときに、その在圏するセルに対応するマクロセル基地局１０やスモールセル基地局２０と間で所定の通信方式及びリソースを用いて無線通信することができる。
【００１５】
図２（ａ）は本実施形態の移動通信システムで通信可能なユーザ装置３０の要部の概略構成の一例を示す機能ブロック図である。また、図２（ｂ）は本実施形態のスモールセル基地局２０を構成する基地局装置２００の要部の概略構成の一例を示す機能ブロック図である。なお、スモールセル基地局２０の周辺に位置するマクロセル基地局１０の基地局装置はスモールセル基地局２０と同様に構成することができるため、説明を省略する。
【００１６】
ユーザ装置３０は、例えばＣＰＵやメモリ等を有するコンピュータ装置、コアネットワークに対する外部通信インターフェース部、無線通信部などのハードウェアを用いて構成され、所定のプログラムが実行されることにより基地局１０，２０等との間の無線通信等を行うことができる。また、基地局装置２００は、例えばＣＰＵやメモリ等を有するコンピュータ装置、コアネットワークに対する外部通信インターフェース部、無線通信部などのハードウェアを用いて構成され、所定のプログラムが実行されることにより、後述するスモールセル基地局２０に隣接する周辺基地局のリストの記憶及び更新、下りリンクの送信電力の制御、周辺のセルからの干渉レベルの測定、干渉の抑制処理などの各種処理及び制御を実行したり、ユーザ装置３０との間の無線通信を行ったりすることができる。
【００１７】
図２（ａ）において、ユーザ装置３０は、制御部３０１と送受共用器（ＤＵＰ：Duplexer）３０２と無線受信部３０３とＯＦＤＭ（Orthogonal Frequency Division Multiplexing）復調部３０４と受信品質測定部３０５と報知情報抽出部３０６とを備える。更に、ユーザ装置３０は、Ｐ−ＣＱＩ（Periodic-Channel Quality Indicator）生成部３０７とＳＣ−ＦＤＭＡ（Single-Carrier Frequency-Division Multiple Access）変調部３０８と無線送信部３０９とを備える。
【００１８】
制御部３０１は、例えばコンピュータ装置で構成され、報知情報抽出部３０６で抽出された報知情報に基づいて各部を制御するとともに、受信品質測定部３０５で測定された下り信号受信品質の情報をＰ−ＣＱＩ生成部３０７に渡す手段として機能する。
【００１９】
無線受信部３０３は、ＬＴＥに規定されているダウンリンク用のＯＦＤＭ方式で変調された無線信号を、アンテナ及び送受共用器３０２を介して、基地局１０，２０から受信する。
ＯＦＤＭ復調部３０４は、ＯＦＤＭ方式で変調されている無線信号を復調して受信信号を得る。
受信品質測定部３０５は、ＯＦＤＭ復調部３０４で復調された受信信号から、下りの無線信号を受信するときの下り受信品質（例えば、電界強度、受信レベルなど）を測定し、測定した下り受信品質の情報（ＣＱＩ：Channel Quality Indicator）を制御部３０１に渡す。
報知情報抽出部３０６は、ＯＦＤＭ復調部３０４で復調された受信信号から、基地局１０，２０が送信した報知情報（例えば、ＣＧＩやセルＩＤなどのセル識別情報、ＴＡＣなどの位置登録エリア情報、制御チャネル情報、ネットワークバージョン情報など）を抽出し、抽出した報知情報を制御部３０１に渡す。
Ｐ−ＣＱＩ生成部３０７は、制御部３０１から受け取った下り受信品質の情報（ＣＱＩ）及び報知情報に基づいて、ユーザ装置３０から周期的に送信する測定報告（Measurement Report）としてのＰ−ＣＱＩの送信信号を生成する。
ＳＣ−ＦＤＭＡ変調部３０８は、ＬＴＥに規定されているアップリンク用のＳＣ−ＦＤＭＡ（単一キャリア周波数分割多重アクセス）方式を用いて、ベースバンドの各種送信信号を変調する。特に、本例では、ＳＣ−ＦＤＭＡ変調部３０８により、Ｐ−ＣＱＩ生成部３０７で生成されたＰ−ＣＱＩの送信信号がＳＣ−ＦＤＭＡ方式で変調される。
無線送信部３０９は、ＳＣ−ＦＤＭＡ変調部３０８で変調されたＰ−ＣＱＩなどの送信信号を、送受共用器３０２及びアンテナを介して、基地局１０，２０に送信する。
【００２０】
ここで、上記Ｐ−ＣＱＩは、ユーザ装置３０が基地局１０，２０に対して周期的に報告する下り受信品質情報（ＣＱＩ）及びＣＧＩやセルＩＤ等のセル識別情報を含む送信信号である。また、ユーザ装置３０は、Ｐ−ＣＱＩのほか、基地局１０，２０での上り受信品質の測定に用いられる参照信号（ＳＲＳ）も周期的に送信してもよい。Ｐ−ＣＱＩの送信用の物理チャネルとしては、例えば、ＬＴＥで規定されているアップリンク用制御チャネルであるＰＵＣＣＨ（Uplink Control Channel） ｆｏｒｍａｔ２が用いられる。また、Ｐ−ＣＱＩ及びＳＲＳの送信に使用される無線リソース（時間、周波数）は基地局１０，２０から指定される。
【００２１】
また、図２（ｂ）において、基地局装置２００は、無線信号経路切り換え部２０１と送受共用器（ＤＵＰ）２０２と下り無線受信部２０３とＯＦＤＭ復調部２０４と報知情報抽出部２０５と上り無線受信部２０６とＳＣ−ＦＤＭＡ復調部２０７と受信電力測定部２０８とを備える。更に、基地局装置２００は、送信電力などの制御を行う制御部２０９と下り信号生成部２１０とＯＦＤＭ変調部２１１と下り無線送信部２１２とを備える。なお、基地局装置２００にはアンテナを含めてもよい。
【００２２】
下り無線受信部２０３は、ＬＴＥに規定されているダウンリンク用のＯＦＤＭ方式で変調された報知情報を含む無線信号を、アンテナ、無線信号経路切り換え部２０１及び送受共用器２０２を介して、マクロセル基地局１０から受信する。
ＯＦＤＭ復調部２０４は、ＯＦＤＭ方式で変調されている無線信号を復調して受信信号を得る。
報知情報抽出部２０５は、ＯＦＤＭ復調部２０４で復調された受信信号から、マクロセル基地局１０が送信した報知情報（例えば、ＳＩＢ２：System Information Block type 2の情報）を抽出し、抽出した報知情報を制御部２０９に渡す。
これらの下り無線受信部２０３、ＯＦＤＭ復調部２０４及び報知情報抽出部２０５は、自局の周辺に位置するマクロセル基地局１０から送信されている送信信号の電界強度の情報を取得する情報取得手段や、自局の周辺に位置するマクロセル１０Ａからの干渉レベルを測定する測定手段としても機能する。
【００２３】
上り無線受信部２０６は、基地局２００と通信しているユーザ装置３０が送信する上り無線信号を、無線信号経路切り換え部２０１及び送受共用器２０２を介して受信する。この無線信号は、上り無線受信部２０６等で発生した白色雑音などの雑音信号や、前述のＰ−ＣＱＩ及びＳＲＳの送信用に設定されている所定の無線リソース及び物理チャネルにおける無線信号を含む。また、この無線信号は、スモールセル基地局２０に隣接しているマクロセル基地局１０と通信しているユーザ装置（ＭＵＥ）が存在している場合は、そのユーザ装置（ＭＵＥ）から送信された上り信号を含む。
ＳＣ−ＦＤＭＡ復調部２０７は、上り無線受信部２０６で受信した受信信号に対してＳＣ−ＦＤＭＡ方式の復調処理を実行する。
【００２４】
受信電力測定部２０８は、報知情報抽出部２０５で抽出した周辺のマクロセル基地局１０からの報知情報に基づいて、ＳＣ−ＦＤＭＡ復調部２０７での復調処理で得られた上記所定の無線リソース及び物理チャネルにおける受信信号の電力を、単一又は複数のサブフレーム毎に測定する。この受信電力測定部２０８は、自局の周辺に位置するマクロセル基地局１０に対して上記ユーザ装置（ＭＵＥ）から定期的に送信される信号（Ｐ−ＣＱＩ又はＳＲＳ）に割り当てられた所定の周波数帯域における電力を測定する測定手段として機能する。
【００２５】
また、制御部２０９は、ＲＡＭやＲＯＭなどのメモリを有し、自局に割り当てられたＰＣＩの情報や自局の周辺に位置する周辺基地局のＰＣＩのリストを記憶する記憶手段や、前記周波数帯域幅ごとの優先度の情報を記憶する記憶手段として機能する。更に、制御部２０９は、ユーザ装置３０との無線通信に自局で使用する周波数帯域幅として、自局が設置されているマクロセル基地局１０とは異なる周波数帯域幅を選択する周波数帯域幅選択手段としても機能する。例えば、マクロセル基地局１０で周波数帯域幅として１５ＭＨｚ又は２０ＭＨｚが使用されている場合は、１５ＭＨｚや２０ＭＨｚとは異なる１０ＭＨｚを周波数帯域幅として選択する。また、制御部２０９は、マクロセル基地局１０とは異なる周波数帯域幅（例えば１０ＭＨｚ）において割り当て可能な物理セル識別子の範囲（例えば、０〜５０３）から自局のＰＣＩを選択し、そのＰＣＩの情報を上記メモリなどに保存する手段として機能してもよい。
【００２６】
下り信号生成部２１０は、自局のセル２０Ａに在圏しているユーザ装置３０に向けて送信する下り信号を生成する。
ＯＦＤＭ変調部２１１は、下り信号生成部２１０で生成した下り信号を、制御部２０９で決定した送信電力で送信されるように、ＯＦＤＭ方式で変調する。
下り無線送信部２１２は、ＯＦＤＭ変調部２１１で変調した送信信号を、送受共用器２０２、無線信号経路切り換え部２０１及びアンテナを介して送信する。
【００２７】
図３は、本実施形態に係るスモールセル基地局２０をマクロセル１０Ａ内に追加設置する場合におけるＰＣＩ割り当ての一例を示す説明図である。図３の例は、ユーザ装置３０との無線通信に１５ＭＨｚ又は２０ＭＨｚの周波数帯域幅が使用されているマクロセル１０Ａ内に５つのスモールセル基地局２１〜２５が設置済みの状態でスモールセル基地局２０を追加で設置する場合の例である。既設のスモールセル基地局２１〜２５で使用されている周波数帯域幅は１０ＭＨｚであり、スモールセル基地局２１〜２５それぞれにはＰＣＩとして１〜５が割り当てられている。
【００２８】
図３において、スモールセル基地局２０の基地局装置２００は、周辺の基地局のサーチを行ったとき、例えばマクロセル基地局１０から受信した情報、在圏するユーザ装置から受信した情報、移動通信網側に設けられたサーバから受信した情報などに基づいて、マクロセル基地局１０で使用されている周波数帯域幅が１５ＭＨｚ又は２０ＭＨｚであると判断すると、ユーザ装置３０との無線通信に使用する周波数帯域幅として１５ＭＨｚや２０ＭＨｚとは異なる１０ＭＨｚを選択する。また、スモールセル基地局２０の基地局装置２００は、例えば既設のスモールセル基地局２１〜２５又はユーザ装置３０から受信した情報や移動通信網側に設けられたサーバから受信した情報などに基づいて、既設のスモールセル基地局２１〜２５に割り当てられているＰＣＩ（１〜５）のなかから自局のＰＣＩを選択するのではなく、マクロセル基地局１０が利用しているＰＣＩに依らず、周波数帯域幅が１０ＭＨｚの場合に割り当て可能なＰＣＩの範囲（０〜５０３）から、既設のスモールセル基地局２１〜２５のＰＣＩと重複しないＰＣＩ（例えば、６）を選択して自局に割り当てる。このＰＣＩの割り当ては自律的に行うのではなく、移動通信網側に設けられたサーバから受信した制御コマンドなどに基づいて行ってもよい。
【００２９】
以上、図３の例によれば、マクロセル１０Ａ内に複数のスモール基地局装置２１〜２５が既設されている状態でスモール基地局装置２０を追加設置する場合でも周辺の他の基地局１０、２１〜２５と互いに重複しないＰＣＩを追加設置のスモール基地局装置２０に確実に割り当てることができる。
【００３０】
図４は、本実施形態に係るスモールセル基地局２０をマクロセル１０Ａ内に新規設置する場合におけるＰＣＩ割り当ての一例を示す説明図である。図４の例は、ユーザ装置３０との無線通信に１５ＭＨｚ又は２０ＭＨｚの周波数帯域幅が使用されているマクロセル１０Ａ、１１Ａの境界領域にスモールセル基地局２０を新規設置する場合の例である。
【００３１】
図４において、スモールセル基地局２０の基地局装置２００は、周辺の基地局のサーチを行ったとき、例えばマクロセル基地局１０から受信した情報、在圏するユーザ装置から受信した情報、移動通信網側に設けられたサーバから受信した情報などに基づいて、マクロセル基地局１０で使用されている周波数帯域幅が１５ＭＨｚ又は２０ＭＨｚであると判断すると、ユーザ装置３０との無線通信に使用する周波数帯域幅として１５ＭＨｚや２０ＭＨｚとは異なる１０ＭＨｚを選択する。そして、、マクロセル基地局１０が利用しているＰＣＩに依らず、周波数帯域幅が１０ＭＨｚの場合に割り当て可能なＰＣＩの範囲（０〜５０３）から一つのＰＣＩ（例えば、１）を任意に選択して自局に割り当てる。このＰＣＩの割り当ては自律的に行うのではなく、移動通信網側に設けられたサーバから受信した制御コマンドなどに基づいて行ってもよい。
【００３２】
以上、図４の例によれば、マクロセル１０Ａ、１１Ａの境界領域にスモールセル基地局２０を新規設置する場合に周辺のマクロ基地局１０、１１と互いに重複しないＰＣＩを新規設置のスモール基地局装置２０に確実に割り当てることができる。
【符号の説明】
【００３３】
１０、１１  マクロセル基地局（周辺基地局）
１０Ａ  マクロセル
２０  スモールセル基地局
２０Ａ  スモールセル
２１〜２５  スモールセル基地局
３０  ユーザ装置（移動局）
【先行技術文献】
【非特許文献】
【００３４】
【非特許文献１】3GPP TS 36.211 "Evolved Universal Terrestrial Radio Access (E-UTRA); Physical channels and modulation" V9.1.0
【要約】
【課題】周辺の他の基地局と互いに重複しない物理セル識別子を確実に割り当てることができるスモールセル基地局装置を提供する。
【解決手段】移動通信システムにおける移動局と無線通信を行うスモールセル基地局に設けられる基地局装置であって、自局で使用する周波数帯域幅として、自局の周辺に設置されているマクロセル基地局とは異なる周波数帯域幅を選択する周波数帯域幅選択手段を備え、前記マクロセル基地局とは異なる周波数帯域幅において割り当て可能な物理セル識別子の範囲から、前記マクロセル基地局が利用している物理セル識別子に依らず自局の物理セル識別子が割り当てられる。
【選択図】図３【図１】
0005856668.tif 000002
【図２】
0005856668.tif 000003
【図３】
0005856668.tif 000004
【図４】
0005856668.tif 000005